(57)【要約】【課題】  リード線をファンモータの外側周部に配置せずに、ハウンジングのサイズをできる限り大きく設計する。【解決手段】    第1のファンモータ1と第2のファンモータ２は並列に隣接して筐体内に設置されファンモータ装置３を構成している。各ファンモータ１，２は、インペラ５と、空気流路を構成するハウジング７と、モータ部に４電流を供給するためのリード線９及び９ａを備えている。第２のファンモータ２のリード線９ａはハウジング７の排気側端面部に配線される。ハウジング７に形成されたリード線案内部１０から第１のファンモータ１のリード線９と束ねられて外部に引き出される。第１のファンモータ１の外部に引き出された束ねられたリード線９、９ａはリード線案内部１０のハウジング７外側にて結束部材１２にて束ねられた状態で結束される。【選択図】  図１
2006342753.tif 000002
【特許請求の範囲】
【請求項１】
インペラを有するモータと、
前記モータを支持するフレームと、
前記インペラによって発生した空気流の空気流路を形成するハウジングと、
前記ハウジングを前記フレームに固定支持するリブと、
前記モータより引き出され外部電源に接続されるリード線と、を備える軸流型のファンモータが、
少なくとも2台以上隣接して配置されているファンモータ装置であって、
第1のファンモータの吸気側又は排気側の面に、第２のファンモータのリード線が配線され、前記第1のファンモータ外部へ引き出されることを特徴とするファンモータ装置。
【請求項２】
前記第1のファンモータの吸気側又は排気側の面に配線された前記第２のファンモータのリード線と、前記第１のファンモータのリード線と、が前記第１のファンモータのハウジングの吸気側又は排気側の面において束ねられ、前記第１のファンモータのハウジングに形成されたリード線案内部から外部へ引き出されることを特徴とする請求項1に記載のファンモータ装置。
【請求項３】
前記第２のファンモータのリード線が、
前記第１のファンモータのハウジングの吸気側又は排気側の端面に沿って配線され、
前記リード線案内部から外部に引き出されることを特徴とする請求項１及び２に記載されたファンモータ装置。
【請求項４】
請求項３に記載のファンモータ装置であって、
前記リード線が配線されている前記ハウジングの端面部が他の端面部に対して低く形成されていることを特徴とするファンモータ装置。
【請求項５】
前記第1のファンモータのリブに、リード線配線用の溝が形成されており、
前記第２のファンモータのリード線が、前記リブの溝を経由して前記フレーム内を沿って、前記リブとは異なるリブの溝を経由して外部に引き出されることを特徴とする請求項１乃至４のいずれかに記載されたファンモータ装置。
【請求項６】
前記第２のファンモータのリード線が、前記第１のファンモータの吸気側又は排気側に空気流路を横切るように配線されることを特徴とする請求項１乃至５のいずれかに記載されたファンモータ装置。
【請求項７】
請求項６に記載のファンモータ装置であって、
前記第１のファンモータの空気流路を横切った前記第２のファンモータのリード線が、前記第１のファンモータのフレーム内を沿って、前記第１のファンモータのリブの溝を経由して外部に引き出されることを特徴とするファンモータ装置。
【請求項８】
前記第1のファンモータハウジングに、リード線掛止部が形成され、
前記リード線掛止部に前記リード線を掛止し配線された前記リード線を固定する手段が備えられたことを特徴とする請求項１乃至７に記載されたファンモータ装置。
【請求項９】
請求項１乃至８のいずれかに記載のファンモータ装置であって、
前記第２のファンモータのリード線は、前記第２のファンモータのハウジングより外部に引き出される際に、前記ハウジングの吸気側又は排気側の端部で空気流路よりも半径方向において外方部分に形成された鍔部に掛り止めされ、前記リード線が固定される固定手段を有するファンモータ装置。
【請求項１０】
前記第１のファンモータのハウジングと、
隣接して配置されているファンモータのハウジングと、が一体に成型されたことを特徴とする請求項１乃至９に記載のファンモータ装置。
【請求項１１】
前記第1のファンモータのリード線案内部から第１のファンモータ外部に引き出された前記リード線を前記案内部の前記ハウジング外側面より外方にて結束部材を用いて結束し、前記ハウジングに固定することを特徴とする請求項１乃至１０のいずれかに記載のファンモータ装置。
【発明の詳細な説明】
【技術分野】
【０００１】
本発明は、複数のファンモータを隣接して配置したファンモータ装置に関するものである。
【背景技術】
【０００２】
現在、電子機器には、高性能な電子回路が搭載されており、発熱が著しい。電子回路から発熱される熱を積極的に冷却させるために複数のファンモータが取り付けられることが多々ある。例えば、実登３０８５４５６号には、複数のファンモータをファントレイに組み込み、それぞれのファンモータの導線が電子機器の制御回路に接続されることが開示されている。
【０００３】
電子機器は、省スペース化として筐体の大きさを最小限にするように設計される傾向があり、ファンモータ装置を配置するスペースにも制約がある。ファンモータには、モータに電流を供給するリード線が備えられており、電子機器筐体内に複数のファンモータが搭載される場合、ファンモータのリード線を電源に接続するために筐体内で配線する際に、電源から遠い位置に配置されているファンモータのリード線は、電源から近いファンモータのハウジングの外側面に配線する必要があった。しかし電子機器筐体内の他の部品を効率良く配置することを考慮すれば、リード線をファンモータのハウジングの外側面に配置するスペースが無く、リード線を配線するスペース分だけファンモータのハウジングのサイズを小さく制限する必要があった。
【０００４】
しかし、ハウジングのサイズを小さくすることにより、ハウジングが形成している風洞部の内径が小さくなり、それに伴いインペラの外径も小さくなり、ファンモータ装置の風量特性が悪化し、冷却効率の低下に繋がる。
【０００５】
【特許文献１】実登３０８５４５６（第１図）
【発明の開示】
【発明が解決しようとする課題】
【０００６】
ファンモータ装置の風量特性を低下させないようにするには、ハウジングのサイズをできる限り大きくする必要があり、ハウジングのサイズをできる限り大きくするには、筐体内の電源から遠い位置に配置されているファンモータのリード線を電源から近い位置に配置されているファンモータのハウジングの外側面部に配線しないようにする必要がある。しかし、従来は電源から近い位置に配置されたファンモータのハウジングの外側面部に電源から遠い位置に配置されたファンモータのリード線を配線していたため、ハウジングのサイズを小さくして、ハウジングの風洞形状及びインペラの羽根形状を検討して風量特性の改善を行っていた。
【課題を解決するための手段】
【０００７】
本発明は、上記のような従来技術に鑑みてなされたものである。すなわち本発明は、リード線をハウジングの外側面部に配線せずに、ハウジングのサイズをできるだけ大きく取りファンモータ装置の高冷却効率化を図るものである。
【０００８】
上記課題を解決するために、本発明の請求項1に記載のファンモータ装置では、インペラを有するモータと、モータを支持するフレームと、インペラによって発生した空気流の空気流路を形成するハウジングと、ハウジングをフレームに固定支持するリブと、モータより引き出され外部電源に接続されるリード線と、を備える軸流型のファンモータが、少なくとも2台以上隣接して配置されているファンモータ装置であって、第1のファンモータの吸気側又は排気側の面に、第２のファンモータのリード線が配線され、第1のファンモータ外部へ引き出されることを特徴とする。
【０００９】
本発明の請求項２に記載のファンモータ装置では、第1のファンモータの吸気側又は排気側の面に配線された第２のファンモータのリード線と、第１のファンモータのリード線と、が第１のファンモータのハウジングの吸気側又は排気側の面において束ねられ、第１のファンモータのハウジングに形成されたリード線案内部から外部へ引き出されることを特徴とする。
【００１０】
本発明の請求項3に記載のファンモータ装置では、第２のファンモータのリード線が、第１のファンモータのハウジングの吸気側又は排気側の端面に沿って配線され、リード線案内部から外部に引き出されることを特徴とする。
【００１１】
本発明の請求項４に記載のファンモータ装置では、リード線が配線されている前記ハウジングの端面部が他の端面部に対して低く形成されていることを特徴とする。
【００１２】
本発明の請求項５に記載のファンモータ装置では、第1のファンモータのリブに、リード線配線用の溝が形成されており、第２のファンモータのリード線が、リブの溝を経由してフレーム内を沿って、リブとは異なるリブの溝を経由して外部に引き出されることを特徴とする。
【００１３】
本発明の請求項６に記載のファンモータ装置では、第２のファンモータのリード線が、第１のファンモータの吸気側又は排気側に空気流路を横切るように配線されることを特徴とする。
【００１４】
本発明の請求項７に記載のファンモータ装置では、第１のファンモータの空気流路を横切った第２のファンモータのリード線が、第１のファンモータのフレーム内を沿って、第１のファンモータのリブの溝を経由して外部に引き出されることを特徴とする。
【００１５】
本発明の請求項８に記載のファンモータ装置では、第1のファンモータハウジングに、リード線掛止部が形成され、リード線掛止部にリード線を掛止し配線されたリード線を固定する手段が備えられたことを特徴とする。
【００１６】
本発明の請求項９に記載のファンモータ装置では、第２のファンモータのリード線は、第２のファンモータのハウジングより外部に引き出される際に、ハウジングの吸気側又は排気側の端部で空気流路よりも半径方向で外方部分に形成された鍔部に掛り止めされ、リード線が固定される固定手段を有するファンモータ装置。
【００１７】
本発明の請求項１０に記載のファンモータ装置では、隣接して配置されているファンモータのハウジングと、が一体に成型されたことを特徴とする。
【００１８】
本発明の請求項１１に記載のファンモータ装置では、第1のファンモータのリード線案内部から第１のファンモータ外部に引き出されたリード線を案内部の前記ハウジング外側面より外方にて結束部材を用いて結束し、ハウジングに固定することを特徴とする。
【発明の効果】
【００１９】
本発明の請求項１に記載されたファンモータ装置では、第1のファンモータに隣接して配置された第２のファンモータのリード線を第１のファンモータの吸気側又は排気側の面に配線することによって、隣接して配置されたファンモータのリード線をハウジングの外側面に配線する必要がなく、ファンモータのハウジングのサイズをその分大きく形成することができ、結果的に冷却特性が高いファンモータ装置を提供することが可能である。
【００２０】
本発明の請求項２に記載されたファンモータ装置では、第1のファンモータに隣接して配置された第２のファンモータのリード線を第１のファンモータの吸気側又は排気側の面に配線し、第１のファンモータの吸気側及び排気側の面において第１のファンモータのリード線と第２のファンモータのリード線とが束ねられることによって、従来の第１のファンモータリード線を外部に引き出す配線手段をそのまま使用でき、ファンモータ装置の冷却特性は低下しない。また、第１のファンモータのリード線案内部から束ねられた両リード線が引き出され、リード線案内部を２箇所形成する必要がない。複数のファンモータを駆動させる筐体内の電源接続部は１箇所であることが多いため、束ねた状態でハウジングからリード線を引き出すことができれば、電源との接続も容易である。
【００２１】
本発明の請求項３に記載されたファンモータ装置では、第1のファンモータに隣接して配置された第２のファンモータのリード線が第１のファンモータのハウジングの吸気側又は排気側の端面に沿って配線されているため、リード線の一部は空気流路に干渉するが、大部分はハウジングの端面上に位置しており、リード線を配線することによる空気流路への抵抗は極端に少ない。リード線をハウジングの外部に配線する手段と比較すれば、ハウジングのサイズを大きく設計することができ、ファンモータ装置の冷却特性を高くすることが可能である。
【００２２】
本発明の請求項４に記載されたファンモータ装置では、第1のファンモータに隣接して配置された第２のファンモータのリード線が第１のファンモータのハウジングの吸気側又は排気側の端面に沿って配線されたときに、配線部を他の端面よりも低く形成しているため、リード線がハウジング端面からはみ出すことがなくファンモータの回転軸方向の厚み寸法を低く抑えることが可能である。
【００２３】
本発明の請求項５に記載されたファンモータ装置では、第１のファンモータのリブにリード線を配線する溝が形成されていることによって、リード線が第１のファンモータの空気流路の抵抗になることなく配線することが可能であり、リード線をハウジングの外側面に配置する必要が無いため、ハウジングを大きく設計することができ、冷却性能を高くすることが可能である。
【００２４】
本発明の請求項６に記載されたファンモータ装置では、第1のファンモータに隣接して配置された第２のファンモータのリード線が第１のファンモータの空気流路を横切るように配線されているため、リード線が空気流路の抵抗にはなるが、リード線をハウジング外側部に配線してハウジングのサイズを小さくするよりは、ハウジングを大きくすることができるため、冷却特性を高くすることが可能である。
【００２５】
本発明の請求項７に記載されたファンモータ装置では、第２のファンモータのリード線が第１のファンモータの空気流路を横切るように配線され、第１のファンモータのフレーム内を沿って、第１のファンモータのリブの溝を経由して外部に引き出されるため、リード線が空気流路を横切る箇所が低減され、より冷却特性の低減を抑えることが可能である。
【００２６】
本発明の請求項８に記載されたファンモータ装置では、ハウジングに掛止部が形成されているため、配線途中でリード線を掛止部にて固定することにより、配線されたリード線が外れることなく、ハウジングの吸気側又は排気側の面に固定される。
【００２７】
本発明の請求項９に記載されたファンモータ装置では、第２のファンモータのリード線が第１のファンモータの吸気側又は排気側の面に配線される際に、隣接するファンモータ及び第１のファンモータのハウジングの吸気側又は排気側の端部で空気流路よりも外径部分に形成された鍔部に掛止されるため、隣接するファンモータのリード線が第１のファンモータに配線される際にハウジングに固定され、配線がされたリード線が外れることなく、ハウジングに固定される。
【００２８】
本発明の請求項１０に記載されたファンモータ装置では、第２のファンモータと第１のファンモータのハウジングが一体に成型されているため、電子機器の筐体にファンモータ装置を組み込む工数が削減できる。
【００２９】
本発明の請求項１１に記載されたファンモータ装置では、第１のファンモータのリード線案内部から外部に引き出されたリード線をハウジング外側面より外方にて結束部材を用いて結束しているため、第１のファンモータの吸気側又は排気側の面に配線された隣接する第２のファンモータ及び第１のファンモータの束ねられたリード線は、ハウジング内部に引き戻されずに撓むことなく固定される。
【発明を実施するための最良の形態】
【００３０】
以下、本発明の各実施形態について、図１乃至図８を参照して説明する。なお、本発明の実施形態における説明では便宜上各図面の上下方向を「上下方向」とするが、実際の取り付け状態における方向を限定するものではない。
【００３１】
（１）第１の実施形態
図１は本発明にかかる第１の実施形態のファンモータ装置を示した斜視図である。
【００３２】
第1のファンモータ1と第2のファンモータ２は並列に隣接して筐体内に設置され、ファンモータ装置３を構成している。各ファンモータ１，２には、外部から電流が供給されることで回転駆動するモータ部４の回転部に複数の羽根を有するインペラ５が取り付けられており、モータ部４の固定部はフレーム部６に固定され、インペラ５が回転することで生じる空気流の流路を構成するハウジング７により外囲されており、ハウジング７とフレーム部６とは複数本のリブ８にて固定支持されている。また、外部からモータ部4に電流を供給するために、リード線９がモータ部４に電気的に接続されている。ファンモータの構成に関しては第１のファンモータ１を用いて説明したが、第２のファンモータ２のモータ構成についても同様のものである。
【００３３】
第２のファンモータ２のリード線９ａは、第２のファンモータ２の複数本のリブ８ａのうちハウジング７ａに形成されているリード線案内部１０ａとフレーム６ａとを連結しているリブ８ａに形成されているリード線案内溝８１ａに収められ、リード線案内部１０ａから第２のファンモータ２の外部に一旦引き出され、図４に示されるようにリード線９ａは、第２のファンモータ２のハウジング７ａ上端部の四隅に形成されている鍔部７１ａのうちリード線案内部１０ａに最も近い鍔部７１ａの下側に配線され、この鍔部７１ａに隣接する第１のファンモータ１のハウジング７上端部における鍔部７２の下側に配線され、ハウジング７の排気側端面部において風洞部に沿うように配線される。鍔部７１ａ、７２の下端面は、ハウジング７の排気側端面部及びリード線案内溝８１ａよりも下方に形成されているため、リード線９ａを鍔部７１ａ、７２の下側に配線し、リード線９ａに適当なテンションを与えることによりリード線９ａは固定され、リード線９ａは鍔部７１ａ、７２に掛止されたことになる。本実施例では、鍔部７１ａ、７２にリード線を掛止しているが、掛止する箇所は鍔部７１ａ、７２に限定されずリード線９、９ａを掛止できる凸部をハウジングに形成し、リード線９、９ａを掛止させても良い。また、第１のファンモータ１のハウジング7の第２のファンモータ２のリード線９ａが配線されている排気側端面部は、リード線９ａがハウジング７端面からはみ出さないように他のハウジング７端面より低く形成されている。
【００３４】
第１のファンモータ１のリード線９は、第１のファンモータ１に形成されている複数本のリブ８のうちフレーム部６とリード線案内部１０とを連結しているリブ８に形成されているリード線案内溝８１に収められ、第2のファンモータ２のリード線９ａとハウジング７に形成されたリード線案内部１０にて合流し、束ねられて外部に引き出されている。第１のファンモータ１の外部に引き出されたリード線９、９ａは図８の（ａ）の詳細図に示されているようにリード線案内部１０からリード線９，９ａを外部に引き出した後、ハウジング７外側にて結束部材１２にて束ねられた状態で結束され、リード線９、９ａがハウジング７の内部に引き戻されることがないように固定される。ハウジング７外側でのリード線９、９ａの結束手段としては図１のような結束バンド１２だけでなく、例えば図８の（ｂ）の詳細図に示されているように、熱収縮チューブのように熱を与えることで収縮するチューブ１２’を利用しても良く、ファンモータ装置3の取り付け状態を考慮して選定すれば良い。
【００３５】
第２のファンモータ２のリード線９ａが第１のファンモータ１のハウジング７の排気側端面部に配線される際に、リード線９ａの一部が第１のファンモータ１の空気流路の最外周部の一部を妨げるが、ファンモータの特性である風量や静圧には大きく影響せず、所定の風量及び静圧を発生させることが可能である。また極力、リード線９、９ａが空気流路を妨げないように配慮したい場合は、リード線９、９ａの線種として細いものを選定すれば良い。また、リード線９、９ａを外部に引き出す位置は、電子機器の筐体内部のリード線の引き回しを考慮してリード線９、９ａの引き出し位置を変更しても良い。
【００３６】
図２は第１の実施形態の変形例を示したものであり、この例では、ハウジング７、７ａの排気側端面部において、リード線案内溝８１、８１ａに最も近い鍔部７１、７１ａの内周側にそれぞれ、風洞部に沿うようにリード線案内溝８２、８２ａを設けている。第２のファンモータ２のリード線９ａは、図１で説明した場合と同様にして第１のファンモータ１のハウジング７の排気側端面部に配線され、その後、第１のファンモータ１のリード線案内部１０付近で第１のファンモータのリード線９と第２のファンモータ２のリード線９ａとが束ねられて、これらがリード線案内溝８２に収容されて配線され、ハウジング７の外側面に形成された第２のリード線案内部１０１から外部に引き出されている。この場合、図８の（ｃ）の詳細図に示すように熱収縮チューブ１２’を用いてリード線９、９ａを結束してもよいし、図８の（ｄ）の詳細図に示すように結束手段１２を用いることもできる。
【００３７】
図３は第１の実施形態の他の変形例を示し、電子機器の筐体へのファンモータ装置３の取り付け工数を削減する目的として、第１のファンモータ１のハウジング７と第２のファンモータ２のハウジング７ａを一体で成型したものである。
【００３８】
上記実施形態では２台のファンモータを並列に配置してリード線を配線しているが、同様の配線方法は３台、４台でも可能であり、台数は限定されない。なお、図２、図３、図４では便宜上、説明に必要な符号のみを付したが、それ以外の符号は図１のものと同様である。
【００３９】
（２）第２の実施形態
図５は本発明にかかる第２の実施形態のファンモータ装置を示した斜視図である。図５において、図１と同一符号のものは同一もしくはそれに相当する部位を示すものとする。
【００４０】
第1のファンモータ1と第2のファンモータ２は並列に隣接して筐体内に設置され、ファンモータ装置３を構成している。各ファンモータ１，２には、外部から電流が供給されることで回転駆動するモータ部４の回転部に複数の羽根を有するインペラ５が取り付けられており、モータ部４の固定部はフレーム部６に固定され、インペラ５が回転することで生じる空気流の流路を構成するハウジング７により外囲されており、ハウジング７とフレーム部６とは複数本のリブ８にて固定支持されている。また、外部からモータ部４に電流を供給するために、リード線９がモータ部４に電気的に接続されている。ファンモータの構成に関しては第１のファンモータ１を用いて説明したが、第２のファンモータ２のモータ構成も同様のものである。
【００４１】
第２のファンモータ２のリード線９ａは、そのハウジング７ａのリード線案内溝８１ａを通らず、隣接する第１のファンモータ１への最短距離を通るようにフレーム６ａから横方向に引き出され、第２のファンモータ２の空気流路を横切り、第１のファンモータ１のハウジング７と第２のファンモータ２のハウジング７ａの境界部にてハウンジング７とハウジング７ａとを組み合わせて形成している掛止フック部１１に掛止され、さらにこのリード線９ａは第１のファンモータ１の空気流路を最短距離で横切ってフレーム６内に配線される。リード線９ａを掛止フック部１１に掛止することによって、配線されたリード線９ａを固定している。第１のファンモータ１のフレーム６内に配線されたリード線９ａは、第１のファンモータ１のリード線９とフレーム６内で束ねられ、図５に示されるように第１のファンモータ１に形成されたリード線案内溝８１に収められてリード線案内部１０から外部へと引き出される。
【００４２】
なお、第１のファンモータ１のフレーム６内で束ねられたリード線９、９ａは、第１のファンモータ１の空気流路を再度横切り第２のファンモータ２の隣接側の面と反対側の外側面に形成された第２のリード線引出部１１１に掛止され外部に引き出されるようにしても良い。リード線９、９ａを外部に引き出す箇所に関しては電子機器の筐体内におけるリード線９、９ａの引き回しを考慮して選定すれば良い。外部に引き出されたリード線９、９ａは、第１の実施形態と同様に結束バンドのような結束部材１２にて結束され、リード線９、９ａがハウジング７の内部に引き戻されないように固定される。
【００４３】
（３）第３の実施形態
図６は本発明にかかる第３の実施形態のファンモータ装置を示した平面図である。図６において図１と同一符号のものは同一もしくはそれに相当するものを示すものとする。
【００４４】
第1のファンモータ1と第2のファンモータ２は並列に隣接して筐体内に設置され、ファンモータ装置３を構成している。各ファンモータ１、２には、外部から電流が供給されることで回転駆動するモータ部４の回転部に複数の羽根を有するインペラ５が取り付けられており、モータ部４の固定部はフレーム部６に固定され、インペラ５が回転することで生じる空気流の流路を構成するハウジング７により外囲されており、ハウジング７とフレーム６とは複数本のリブ８にて固定支持されている。また、外部からモータ部４に電流を供給するために、リード線９がモータ部４に電気的に接続されている。ファンモータの構成に関しては第１のファンモータ１を用いて説明したが、第２のファンモータ２のモータ構成も同様のものである。
【００４５】
両ファンモータ１、２はそれぞれのハウジング７、７ａが上述した実施形態の場合と同様に矩形状に構成されるが、この実施形態の場合は、特に、それぞれのハウジング７、７ａにおける複数本のリブ８、８ａがハウジング７、７ａの各側辺に対して直交するように設けられており、これら各リブ８、８ａのうちファンモータの隣接方向に延びたリブ８、８ａにそれぞれリード線案内溝８１、８１ａが形成されている。
【００４６】
第２のファンモータ２のリード線９ａは、ハウジング７ａのフレーム６より引き出されてリード線案内溝８１ａに収められ、第２のファンモータ２の外部に引き出されること無く、第１のファンモータ１に案内される。案内される際に、リード線９ａはハウジング７ａに形成された掛止フック部１１に掛止され、配線途中でリード線９ａが外れないように固定されている。第１のファンモータ１に案内された第２のファンモータ２のリード線９ａは、第１のファンモータ１のリード線案内溝８１に収められ、第１のファンモータ１のフレーム６内に案内される。フレーム６内にて第１のファンモータ１のリード線９と束ねられ、第２のファンモータ２の隣接側の面と反対側の外側面方向にフレーム部６から延伸するリード線案内溝８１に収められ、リード線案内部１１１から外部へと引き出される。束ねられたリード線９、９ａが外部に引き出された後、ハウジング７の外部にてリード線９、９ａを結束部材１２にて結束し、リード線９、９ａがハウジング７内部に引き戻されないように固定されている。
【００４７】
図７は本発明にかかる第３の実施形態の変形例のファンモータ装置を示した斜視図であり、前記と同一符号のものは同一もしくはそれに相当するものを示すものとする。
【００４８】
この変形例は、図６の場合と同様に、第２のファンモータ２のリード線９ａをこれに隣接した第１のファンモータ１のフレーム６内に引き込み、両ファンモータ１、２のリード線９、９ａを束ねて第１のファンモータ１より外部に引き出すようにしたものであるが、ファンモータ１、２のハウジング形状が図６のものと異なる。すなわち、第１，第２のファンモータ１、２のハウジング７、７ａには、フレーム６、６ａより放射状に延びた複数本（４本）のリブ８、８ａがハウジング７、７ａに設けられているが、このうちの隣り合う２本のリブ８、８ａにリード線案内溝８１、８１ａ、８３、８３ａが形成されると共に、リード線案内溝８１，８１ａに最も近い鍔部７１，７１ａの内周側にそれぞれ、風洞部に沿うようにリード線案内溝８２，８２ａが設けられている。
【００４９】
そして、第２のファンモータ２のフレーム６ａより引き出されたリード線９ａは、リード線案内溝８１ａに収容されて配線され、外部に引き出されることなく鍔部内周のリード線案内溝８２ａに収容されて風洞部に沿って隣接する第１のファンモータ１側に案内される。さらにこのリード線９ａは第１のファンモータ１のリード線案内溝８３を通ってフレーム６内に引き込まれ、第１のファンモータ１のリード線９と束ねられ、両ファンモータ１，２のリード線９、９ａがフレーム６からリード線案内溝８１に沿って引き出され、さらにリード線案内溝８２を通って風洞部に沿って配線され、第１のファンモータ１のリード線案内部１１１から外部に引き出される。
【００５０】
なお、図６と図７とでは、リブ８、８ａのハウジング７、７ａに対する配置角度が異なるが、リブ８、８ａの角度に限定されず、様々なリブ角度を適宜設定することが可能である。
【００５１】
また、ハウジング７端面においてリード線９、９ａを配線する方法は、上述した第１乃至第３の実施形態のみに限定されるものではなく、第１乃至第３の実施形態を適宜組み合せてリード線９、９ａを配線することが可能であり、ファンモータ装置３に要求される風量特性及び電子機器の筐体にファンモータ装置３を取り付ける際のリード線９、９ａの引き回し等を考慮して選定することができる。
【図面の簡単な説明】
【００５２】
【図１】本発明のファンモータ装置の第1の実施形態を示す斜視図である。
【図２】第1の実施形態の変形例を示す斜視図である。
【図３】第1の実施形態の他の変形例を示す斜視図である。
【図４】図３の他の変形例を示す横方向からの外観図である。
【図５】本発明のファンモータ装置の第2の実施形態を示す斜視図である。
【図６】本発明の第3の実施形態を示す平面図である。
【図７】第3の実施形態の変形例を示す斜視図である。
【図８】本発明のリード線引出部におけるリード線結束部詳細図である。
【符号の説明】
【００５３】
１    第１のファンモータ
２    第２のファンモータ
３    ファンモータ装置
４    モータ部
５    インペラ
６    フレーム
７    ハウジング
７１  鍔部
８    リブ
８１  リード線案内溝
９    リード線
１０    リード線案内部
１１    掛止フック部
１２    結束部材
【図１】
2006342753.tif 000003
【図２】
2006342753.tif 000004
【図３】
2006342753.tif 000005
【図４】
2006342753.tif 000006
【図５】
2006342753.tif 000007
【図６】
2006342753.tif 000008
【図７】
2006342753.tif 000009
【図８】
2006342753.tif 000010